(57)【特許請求の範囲】
【請求項１】
導電性材料からなり、基端部が電線の一端に接続された端子と、
前記端子の先端部が挿入されるスロットが形成されるとともに、前記端子の基端部側に臨む凹部が形成された、絶縁性材料からなるハウジングと、
前記ハウジングの前記凹部に装着され、前記端子の前記基端部側の一端部において、前記ハウジングにヒンジ部を介して回動可能に連結されたリテーナと、
前記リテーナの他端部に形成され、前記凹部内において前記端子の一部に突き当たることで前記端子の前記基端部側への変位を拘束する第一の変位拘束部と、
前記ヒンジ部の近傍に設けられ、前記端子が前記基端部側に変位しようとして前記第一の変位拘束部に突き当たったときに、前記リテーナが前記ヒンジ部側において前記ハウジングから離間する方向に変位するのを拘束するため、前記リテーナと前記ハウジングの一部とを係合させる第二の変位拘束部と、を有し、
前記第二の変位拘束部は、
前記リテーナにおいて前記凹部の内方に向けて突出して形成され、前記端子の前記先端部側を向いたリテーナ側係合面を有した爪部材と、
前記端子において、前記リテーナ側係合面に対向する位置に形成された端子側係合面と、からなることを特徴とするコネクタ部材。
【請求項２】
前記リテーナ側係合面および前記端子側係合面は、前記リテーナが前記ハウジングから離間する方向に対し、前記端子の基端部側に傾斜して形成されていることを特徴とする請求項１に記載のコネクタ部材。
【発明の詳細な説明】
【技術分野】
【０００１】
本発明は、例えば配線基板に電線を接続するのに用いるコネクタ部材に関する。
【背景技術】
【０００２】
従来より、リセプタクルコネクタと、このリセプタクルコネクタに嵌合するプラグコネクタとが、例えば、自動車用の各種電子機器の回路基板と電線とを電気的に接続する目的で用いられている。
ここで、リセプタクルコネクタ、プラグコネクタは、いずれも、樹脂等の絶縁材料からなるハウジングに、金属等の導電性材料からなる端子が複数本収容され、それぞれの端子に配線の一端が接続されているのが一般的である。
【０００３】
近年においては、かかる自動車用の回路基板と電線とを電気的に接続する目的で用いられるコネクタにおいて、小型化が要求されている。
コネクタにおいては、端子のハウジングからの抜けを防止するため、ハウジングにランス（突起）が設けられている。コネクタの小型化に伴って内部構造が高密度化されるため、端子が小型化し、その結果、ランスも小型化することになる。ランスを小型化してしまうと端子を保持し得る力が小さくなり、端子の抜けを防止する機能も低下してしまう。
【０００４】
そこで、ハウジングにリテーナを設け、リテーナにより、ハウジングに保持された端子の抜けを防止することが行われている（例えば、特許文献１参照。）。
【０００５】
図５、図６に示すように、ハウジング１には、複数の端子２を保持するためのスロット３が間隔を隔てて形成されている。各スロット３内には、電線４の端部に接続された端子２が挿入・保持されている。
ハウジング１の一面側において、スロット３に挿入された各端子２に臨む部分に開口５が形成されている。
【０００６】
ハウジング１には、開口５を塞ぐ形状のリテーナ６が、ヒンジ部７を介して一体に形成されている。ヒンジ部７は、リテーナ６において、端子２の基部２ａ側（電線４）側に設けられている。これにより、リテーナ６は、先端部６ａがヒンジ部７を中心として揺動し、開口５（ハウジング１）から離間した状態（図６（ａ））と、開口５を塞いだ状態（図６（ｂ））とで開閉可能となっている。
【０００７】
リテーナ６の先端部６ａにおいて、ハウジング１内の端子２に対向する側には、端子２に形成された段部２ｃに突き当たる突起８が形成されている。この突起８は、段部２ｃに突き当たる側からヒンジ部７側に向けて、その厚さが漸次小さくなるクサビ状をなしている。
リテーナ６をハウジング１に押し込んで開口５を塞ぐと、この状態で、突起８が端子２の段部２ｃに突き当たる。これによって、電線４が引っ張られる等しても、端子２がハウジング１から引き抜かれるのを防止する。
【先行技術文献】
【特許文献】
【０００８】
【特許文献１】特開２００１−３３２３３３号公報
【発明の概要】
【発明が解決しようとする課題】
【０００９】
しかしながら、上記したようなリテーナ６を備えるコネクタのハウジング１においては、電線４が引っ張られる等した場合、端子２の段部２ｃが突起８を電線４側に押す。これにより、リテーナ６が、ヒンジ部７側に押圧される。ヒンジ部７は、リテーナ６、ハウジング１と同材料で一体に形成され、リテーナ６を回動させるため、ヒンジ部７の両側のリテーナ６やハウジング１に比較して肉厚が薄く形成されて弾性変形しやすくなっている。このため、リテーナ６がヒンジ部７側に押圧されると、その力がヒンジ部７に集中する。端子２の段部２ｃに突き当たる突起８は、ハウジング１の表面に位置するヒンジ部７に対して、ハウジング１の内方に位置するため、突起８からヒンジ部７に作用する力は、ヒンジ部７をハウジング１の外方に押し出す斜め方向（図６（ｂ）中、矢印方向）となる。その結果、図６（ｂ）中に点線で示したように、ヒンジ部７が外に膨れ出してしまう。すると、リテーナ６全体が、ヒンジ部７側に変位することになり、端子２の保持・拘束が弱まってしまう。
本発明は、このような技術的課題に基づいてなされたもので、端子の保持・拘束をより確実に行うことのできるコネクタ部材を提供することを目的とする。
【課題を解決するための手段】
【００１０】
かかる目的のもと、本発明のコネクタ部材は、導電性材料からなり、基端部が電線の一端に接続された端子と、端子の先端部が挿入されるスロットが形成されるとともに、端子の基端部側に臨む凹部が形成された、絶縁性材料からなるハウジングと、ハウジングの凹部に装着され、端子の基端部側の一端部において、ハウジングにヒンジ部を介して回動可能に連結されたリテーナと、を備え、リテーナの他端部に形成され、凹部内において端子の一部に突き当たることで端子の基端部側への変位を拘束する第一の変位拘束部と、ヒンジ部の近傍に設けられ、端子が基端部側に変位しようとして第一の変位拘束部に突き当たったときに、リテーナがヒンジ部側においてハウジングから離間する方向に変位するのを拘束するため、リテーナとハウジングの一部とを係合させる第二の変位拘束部と、を有することを特徴とする。
端子が基端部側に変位しようとして第一の変位拘束部に突き当たったときに、ヒンジ部の近傍に設けられた第二の変位拘束部によりリテーナとハウジングの一部とが係合されることで、リテーナがヒンジ部側においてハウジングから離間する方向に変位するのを拘束することができる。これにより、ヒンジ部が外に膨れ出してしまうのを防ぐことができる。
【００１１】
このような第二の変位拘束部として本発明は、リテーナにおいて、凹部の内方に向けて突出して形成され、端子の先端部側を向いたリテーナ側係合面を有した爪部材と、端子において、リテーナ側係合面に対向する位置に形成された端子側係合面と、からなるものを用いる。リテーナ側係合面と端子側係合面とが係合することで、リテーナとハウジングとを係合し、リテーナがヒンジ部側においてハウジングから離間する方向に変位するのを拘束する。
このとき、リテーナ側係合面および端子側係合面は、リテーナがハウジングから離間する方向に対し、端子の基端部側に傾斜して形成するのが好ましい。これにより、リテーナが一端部側のヒンジ部の近傍においてハウジングから離間する方向に変位するのを拘束する方向に対する、リテーナとハウジングとの係合を確実に行える。
もちろん、リテーナ側係合面と端子側係合面との係合は、単に摩擦力のみを用いても良いし、他に機械的な係合を用いることもできる。
【発明の効果】
【００１３】
本発明によれば、端子が基端部側に変位しようとして第一の変位拘束部に突き当たったときに、ヒンジ部の近傍に設けられた第二の変位拘束部によりリテーナとハウジングの一部とが係合されることで、リテーナがヒンジ部側においてハウジングから離間する方向に変位するのを拘束することができる。これにより、ヒンジ部が外に膨れ出してしまうのを防ぎ、リテーナ全体がヒンジ部側に変位して端子の保持・拘束力が弱まるのを防ぐことができる。
【図面の簡単な説明】
【００１４】
【図１】本発明に係る実施の形態におけるコネクタを示す図であって、（ａ）は斜視図、（ｂ）は要部を示す拡大斜視図である。
【図２】図１に示したコネクタの断面図であり、（ａ）は突起の部分における断面図、（ｂ）は補助突起の部分における断面図である。
【図３】参考例におけるコネクタを示す斜視図である。
【図４】図３に示したコネクタに形成された突き当たり面と受け面を示す断面図である。
【図５】従来のコネクタの斜視図である。
【図６】図５に示したコネクタの断面図であり、（ａ）はリテーナを開いた状態の断面図、（ｂ）はリテーナを閉じた状態を示す断面図である。
【発明を実施するための形態】
【００１５】
以下、添付図面に示す実施の形態に基づいてこの発明を詳細に説明する。
図１に示すものは、プラグ側のハウジング１０である。このハウジング１０は、図示しないリセプタクル側のハウジングに嵌め合う。ハウジング１０には、複数の雌端子（端子）１１が保持されており、ハウジング１０がリセプタクル側のハウジングに嵌合した状態で、雌端子１１とリセプタクル側のハウジングに保持された雄端子と電気的に接合される。
【００１６】
図１、図２に示すように、ハウジング１０には、複数の雌端子１１を保持するための筒状のスロット１２が形成されている。これらスロット１２は、ハウジング１０においてリセプタクル側のハウジングに対向する側である前面１０ａに一端が開口し、前面１０ａに対向する後面１０ｂに向けて連続して形成されている。これらスロット１２は、ハウジング１０において、前面１０ａに直交する側面１０ｃと平行な方向に間隔を隔てて並べて配置されている。
図２に示すように、各スロット１２は、ハウジング１０の前面１０ａから一定長の部分に形成されており、各スロット１２内には、雌端子１１の先端部１１ａ側が挿入されて保持されている。ハウジング１０の後面１０ｂ側には、側面１０ｃ側に開口する凹部１５が形成されている。この凹部１５は、スロット１２の後方に位置しており、スロット１２に先端部１１ａ側が保持された雌端子１１の後部１１ｂが凹部１５内に位置している。
【００１７】
ハウジング１０の後面１０ｂには、凹部１５内に連通する連通孔１６が形成されている。この連通孔１６を通して、ハウジング１０の後方から電線１８の一端１８ａが凹部１５内に挿入され、凹部１５内において電線１８の一端１８ａが雌端子１１の後部１１ｂに接合されている。
【００１８】
ハウジング１０の側面１０ｃには、凹部１５の開口を塞ぐリテーナ２０Ａが、ヒンジ部２１を介して一体に形成されている。
リテーナ２０Ａは、ヒンジ部２１を中心として回動自在に設けられた矩形のプレート部２２と、プレート部２２において、凹部１５に対向する側に一体に設けられた突起（第一の変位拘束部、爪部材）２３と、補助突起（第二の変位拘束部）２４とが一体に形成された構成を有している。
ヒンジ部２１は、プレート部２２において、ハウジング１０の後面１０ｂに近い側の一辺に沿って設けられている。これにより、リテーナ２０Ａは、ハウジング１０の前面１０ａに近い側の先端部２０ａが、ヒンジ部２１を中心として揺動し、凹部１５を塞いだ状態と、凹部１５（ハウジング１０の側面１０ｃ）から離間した状態とで開閉可能となっている。
【００１９】
突起２３は、雌端子１１に形成された段部１１ｃに突き当たる側からヒンジ部２１側に向けて、その厚さが漸次小さくなるクサビ状をなしている。
リテーナ２０Ａの突起２３をハウジング１０に押し込んで凹部１５を塞ぐと、この状態で、突起２３が凹部１５内に位置する雌端子１１の段部１１ｃに突き当たる。これによって、電線１８が引っ張られる等しても、雌端子１１がハウジング１０から引き抜かれるのを防止する。
【００２０】
図１（ｂ）、図２（ｂ）に示すように、補助突起２４は、プレート部２２において、凹部１５に対向する側であって、かつヒンジ部２１の近傍に設けられている。また、補助突起２４は、リテーナ２０Ａにおいてヒンジ部２１の両側端部に形成されている。
補助突起２４は、ヒンジ部２１から遠い側から近い側に向けて、その幅が漸次小さくなるクサビ状をなしている。
一方、ハウジング１０の側面１０ｃには、補助突起２４を収容する凹部１９が形成されている。凹部１９は、補助突起２４の前面（リテーナ側係合面）２４ａに突き当たる突き当たり面（端子側係合面）１９ａを有している。これら補助突起２４の前面２４ａと凹部１９の突き当たり面１９ａは、側面１０ｃに近い側からハウジング１０の内部側に向けて、後面１０ｂ側から前面１０ａ側に傾斜するよう設けられている。これにより、補助突起２４が凹部１９の突き当たり面１９ａに係合する。
【００２１】
さて、このようなリテーナ２０Ａを備えるハウジング１０においては、電線１８が引っ張られる等した場合、雌端子１１の段部１１ｃが突起２３を電線１８側に押す。これにより、リテーナ２０Ａが、ヒンジ部２１側に押圧される。
雌端子１１の段部１１ｃに突き当たる突起２３は、ヒンジ部２１に対して、ハウジング１０の内方に位置するため、突起２３からヒンジ部２１に作用する力は、ヒンジ部２１をハウジング１０の外方に押し出す斜め方向となる。しかし、リテーナ２０Ａは、ヒンジ部２１の近傍において、補助突起２４によりハウジング１０に係合されているので、リテーナ２０Ａがヒンジ部２１側で浮き上がるように変位するのを防ぐことができ、ヒンジ部２１が外に膨れ出すのを防ぐことができる。その結果、リテーナ２０Ａ全体が、ヒンジ部２１側に変位するのを確実に防ぐことができ、雌端子１１の保持・拘束が高まる。
【００２２】
なお、上記実施形態において、前記補助突起２４は、リテーナ２０Ａにおいてヒンジ部２１の両側端部に形成されているが、その位置はこれに限るものではなく、ヒンジ部２１の中間部や、互いに隣接する突起２３、２３の間等、他の位置に形成しても良い。
また、補助突起２４の前面２４ａと凹部１９の突き当たり面１９ａを、側面１０ｃに近い側からハウジング１０の内部側に向けて、後面１０ｂ側から前面１０ａ側に傾斜するよう設けたが、これに限るものではない。補助突起２４が凹部１９の突き当たり面１９ａに係合することで、リテーナ２０Ａを、ヒンジ部２１の近傍において、ハウジング１０に係合することができるのであれば、例えば、補助突起２４の前面２４ａと凹部１９の突き当たり面１９ａとに、互いに係合する凹凸、爪等を設けても良い。
【００２３】
次に、参考例について説明する。以下に説明する参考例においては、リテーナ浮き上がり防止構造が上記の実施形態と異なるのみであるため、以下の説明においては、上記の実施形態と異なる構成を中心として説明を行い、共通する構成についてはその説明を省略する。
【００２４】
図３、図４に示すように、ハウジング１０の側面１０ｃには、凹部１５の開口を塞ぐリテーナ２０Ｂが、ヒンジ部２１を介して一体に形成されている。
リテーナ２０Ｂは、ヒンジ部２１を中心として回動自在に設けられた矩形のプレート部２２と、プレート部２２において、凹部１５に対向する側に一体に設けられた突起２３とが一体に形成された構成を有している。
ヒンジ部２１は、プレート部２２において、ハウジング１０の後面１０ｂに近い側に設けられている。これにより、リテーナ２０Ｂは、ハウジング１０の前面１０ａに近い側の先端部２０ａが、ヒンジ部２１を中心として揺動し、凹部１５を塞いだ状態と、凹部１５（ハウジング１０の側面１０ｃ）から離間した状態とで開閉可能となっている。
【００２５】
突起２３は、雌端子１１に形成された段部１１ｃに突き当たる側からヒンジ部２１側に向けて、その厚さが漸次小さくなるクサビ状をなしている。
リテーナ２０Ｂの突起２３をハウジング１０に押し込んで凹部１５を塞ぐと、この状態で、突起２３が凹部１５内に位置する雌端子１１の段部１１ｃに突き当たる。これによって、電線１８が引っ張られる等しても、雌端子１１がハウジング１０から引き抜かれるのを防止する。
【００２６】
突起２３のヒンジ部２１側には、凹部１５に対向する側であって、かつヒンジ部２１の近傍に、プレート部２２に直交する突き当たり面（第二の変位拘束部、端子側係合面）３０が形成されている。
一方、ハウジング１０の側面１０ｃには、凹部１５の開口部１７が形成されており、この開口部１７においてハウジング１０の後面１０ｂ側が、突き当たり面３０と対向する受け面（第二の変位拘束部、リテーナ側係合面）３１とされている。
これにより、突起２３のヒンジ部２１側に形成された突き当たり面３０が、凹部１５の開口部１７の受け面３１に突き当たる。
【００２７】
このようなリテーナ２０Ｂを備えるハウジング１０においては、電線１８が引っ張られる等した場合、雌端子１１の段部１１ｃが突起２３を電線１８側に押す。これにより、リテーナ２０Ｂが、ヒンジ部２１側に押圧される。
雌端子１１の段部１１ｃに突き当たる突起２３は、ヒンジ部２１に対して、ハウジング１０の内方に位置するため、突起２３からヒンジ部２１に作用する力は、ヒンジ部２１をハウジング１０の外方に押し出す斜め方向となる。しかし、突起２３のヒンジ部２１側に形成された突き当たり面３０が、凹部１５の開口部１７の受け面３１に突き当たる。これにより、リテーナ２０Ｂがヒンジ部２１側で浮き上がるように変位するのを防ぐことができ、その結果、ヒンジ部２１が外に膨れ出すのを防ぐことができる。
その結果、リテーナ２０Ｂ全体が、ヒンジ部２１側に変位するのを確実に防ぐことができ、雌端子１１の保持・拘束が高まる。
【００２８】
なお、上記実施の形態では、突き当たり面３０を突起２３のヒンジ部２１側に形成する構成としたが、これに限るものではない。例えば、プレート部２２に別途突起を設け、この突起に突き当たり面３０を形成しても良い。
また、上記各実施形態においてハウジング１０の各部について説明したが、本願発明の主旨範囲内であれば、他のいかなる構成としても良い。
これ以外にも、本発明の主旨を逸脱しない限り、上記実施の形態で挙げた構成を取捨選択したり、他の構成に適宜変更することが可能である。
【符号の説明】
【００２９】
１０…ハウジング、１１…雌端子（端子）、１１ｃ…段部、１２…スロット、１５…凹部、１７…開口部、１８…電線、１９ａ…突き当たり面（端子側係合面）、２０Ａ、２０Ｂ…リテーナ、２１…ヒンジ部、２２…プレート部、２３…突起（第一の変位拘束部、爪部材）、２４…補助突起（第二の変位拘束部）、２４ａ…前面（リテーナ側係合面）、３０…突き当たり面（第二の変位拘束部、端子側係合面）、３１…受け面（第二の変位拘束部、リテーナ側係合面）
【図１】
0005553595.tif 000002
【図２】
0005553595.tif 000003
【図３】
0005553595.tif 000004
【図４】
0005553595.tif 000005
【図５】
0005553595.tif 000006
【図６】
0005553595.tif 000007